(57)【要約】      （修正有）【課題】被治療者を収容して量子を転写して治療する治療器において、量子を、被治療者の全身に、効率良く転写する。【解決手段】量子治療器１は、量子３０が転写されているＬＥＤ３３を備える監視カメラ３を部屋２に備えるとともに、その監視画像を確認するパソコン５に、量子４０が転写されている記憶素子４を装着して構成される。ＬＥＤ３３からの照明光で量子３５が搬送される。一方、パソコン５の液晶画面５１では、記憶素子４からの量子エネルギー４０が液晶画面５１の微粒子と共振して量子エネルギー５０が発生し、参照符号５３で示すように、量子テレポーテーション現象によって、監視カメラ３の撮像範囲の被治療者６や部屋２の壁面２１に転写される。量子が転写された被治療者６は、臓器の調子を整えたり、全身に散らばった癌を萎縮させたりすることができる。【選択図】図１
2018139722.tif 000002
【特許請求の範囲】
【請求項１】
内部に被治療者を収容する部屋と、
前記部屋内に量子を放射するように加工された量子放射源とを備え、
前記量子放射源から放射された前記量子が前記被治療者に転写され、或いは前記部屋の壁面に転写された前記量子が前記被治療者に再転写されることで、該被治療者の治療を行うことを特徴とする量子治療器。
【請求項２】
前記量子放射源は、電圧２５Ｖ以上、２５０Ｖ以下、周波数２Ｈｚ以上、２００Ｈｚ以下の交流電圧に、周波数３５０Ｈｚ以上、３０ｋＨｚ以下の微弱信号成分を重畳し、さらに負の成分を取り出すことで得られた予め定める周期および大きさの振動エネルギーを金属に付与することで、該金属に前記量子が発生し、その発生された量子が転写されることで、前記量子を放射するように加工されていることを特徴とする請求項１記載の量子治療器。
【請求項３】
前記部屋の壁面は、金属、プラスチックまたは木材から成ることを特徴とする請求項１または２記載の量子治療器。
【請求項４】
前記量子放射源は、監視カメラであり、該監視カメラは照明用の光源を有し、その照明光に伝搬されて、前記量子が、前記被治療者に転写され、或いは前記部屋の壁面に転写されることを特徴とする請求項１〜３の何れか１項に記載の量子治療器。
【請求項５】
前記量子放射源は、記憶素子であり、
前記部屋内には監視カメラが設置される一方、液晶画面を備え、前記監視カメラの撮像画像を表示する情報処理装置が設けられており、前記記憶素子が装着された情報処理装置は、前記記憶素子を使用しての前記液晶画面での監視画像の表示時に、前記量子のエネルギーが液晶の微粒子に共振して該液晶画面に量子エネルギーが発生し、その量子エネルギーが、量子テレポーテーション現象によって、前記監視カメラの撮像範囲の前記被治療者や部屋の壁面に転写されることを特徴とする請求項１〜３の何れか１項に記載の量子治療器。
【請求項６】
前記部屋は、老人介護施設の集会所または保育園の教室として使用されることを特徴とする請求項１〜５の何れか１項に記載の量子治療器。
【発明の詳細な説明】
【技術分野】
【０００１】
本発明は、量子またはその集団である量子波（以降、量子と総称する）を用いて、被治療者を治療する量子治療器に関する。
【背景技術】
【０００２】
従来から、人体にマイクロ波や電磁波などを照射して、血行の改善を図ったり、患部の治癒効果を高めたりする治療器が市販されている。しかしながら、効果が乏しかったり、人体の内部への効果が低い（浸透し難い）ので、本件発明者は、先に特許文献１を提案している。
【０００３】
特許文献１は、交流電源をバイアスに、所謂鉱石ラジオのようなメカニズムで外部から受信された電磁波を、ＬＣ並列共振回路で増幅して重畳し、負の成分のみを取出して電極などから患部へ印加することで、前記電極を構成する素材原子の外殻電子軌道に変動を生じさせ、それに伴う陽子の振動によって量子を発生させ、患部に照射することで、前記患部の細胞を活性化している。
【０００４】
特許文献２では、その量子および遠赤外線を医療用シートに照射し、その医療用シートを人体に貼付けることで、同様の効果を得るようにしている。
【先行技術文献】
【特許文献】
【０００５】
【特許文献１】特許第５６８４４３４号公報
【特許文献２】特許第５６５７８４１号公報
【発明の概要】
【発明が解決しようとする課題】
【０００６】
上述の特許文献１，２は、量子を用いているので、人体の内部、特に前記マイクロ波や電磁波を遮蔽してしまう頭蓋の内部などの治療を行うこともでき、また小型の構成で取扱いも容易である。しかしながら、局所的な対応であり、全身に亘る広範な治療を、効率良く行うことができない。
【０００７】
本発明の目的は、量子による治療を行うにあたって、全身に亘る広範な治療を効率良く行うことができる量子治療器を提供することである。
【課題を解決するための手段】
【０００８】
本発明の量子治療器は、内部に被治療者を収容する部屋と、前記部屋内に（向けて）、量子を放射するように加工された量子放射源とを備え、前記量子放射源から放射された前記量子が前記被治療者に転写され、或いは前記部屋の壁面に転写された前記量子が前記被治療者に再転写されることで、該被治療者の治療を行う（活性化する）ことを特徴とする量子治療器。
【０００９】
上記の構成によれば、被治療者を収容する部屋に、その被治療者に向けて量子を放射する量子放射源を設け、該量子放射源から放射された量子を、前記被治療者に転写させる。
【００１０】
具体的に、前記量子放射源が前記量子を放射するように加工する手法としては、交流電源で発生された電圧２５Ｖ以上、２５０Ｖ以下、好ましくは１００Ｖで、周波数２Ｈｚ以上、２００Ｈｚ以下、好ましくは１００Ｈｚの交流電圧に、ＬＣ値が０．０３×１０-9〜２．０×１０-9のＬＣ並列共振回路にて、外部電磁波から誘導された、周波数３５０Ｈｚ以上、３０ｋＨｚ以下の微弱信号成分を重畳し、さらにダイオードなどの整流素子で負の成分を取り出すことで得られた予め定める周期および大きさの振動エネルギーを金属に付与して、該金属に大量に発生した量子を前記量子放射源に転写することで行うことができる。量子としては、光子、電子、クウォーク、ニュートリノ等である。
【００１１】
前記量子放射源からの量子は、直接に被治療者に転写され、或いは、一旦壁面などに付着した量子や、被治療者を透過したり被治療者で反射されたりした量子も、壁面などを介して、被治療者に再転写される。こうして、人体の内部に到達し易く、骨なども通過すると言う特徴を有する量子を、被治療者の全身に、効率良く転写することができる。これによって、全身を活性化したり、複雑に関連する臓器の調子を整えたり、或いは全身に散らばった癌を萎縮させたりすることができる。
【００１２】
また、本発明の量子治療器では、前記部屋の壁面は、金属、プラスチックまたは木材から成ることを特徴とする。
【００１３】
上記の構成によれば、布は量子を吸収して消滅させてしまうのに対して、金属、プラスチックまたは木材は、それらの吸収が少ない。
【００１４】
したがって、部屋の壁面の材料にそれらを用いることで、量子放射源から壁面に一旦付着した量子が、或いは被治療者を透過したり反射されたりした量子が、該壁面から被治療者に再転写され、量子の利用効率、すなわち治療効果を高めることができる。また、そのような壁面材料としては、通常の住居や事業所の壁材も対象となり、量子放射源を設置するだけで、量子治療を実現することができる。
【００１５】
さらにまた、本発明の量子治療器では、前記量子放射源は、監視カメラであり、該監視カメラは照明用の光源を有し、その照明光に伝搬されて、前記量子が、前記被治療者に転写され、或いは前記部屋の壁面に転写されることを特徴とする。
【００１６】
上記の構成によれば、量子の伝搬が光で可能と言う本件発明者の知見に基づき、前記量子放射源として監視カメラを用い、量子の伝搬に、その撮影用の照明光を用いる。
【００１７】
したがって、部屋内を監視カメラで監視（撮影）するだけで、容易に、被治療者の治療を行うことができる。
【００１８】
また、本発明の量子治療器では、前記量子放射源は、（持ち運び自在の）記憶素子であり、前記部屋内には監視カメラが設置される一方、液晶画面を備え、前記監視カメラの撮像画像を表示する情報処理装置が設けられており、前記記憶素子が装着された情報処理装置は、前記記憶素子を使用しての前記液晶画面での監視画像の表示時に、前記量子のエネルギーが液晶の微粒子に共振して該液晶画面に量子エネルギーが発生し、その量子エネルギーが、量子テレポーテーション現象によって、前記監視カメラの撮像範囲の前記被治療者や部屋の壁面に転写されることを特徴とする。
【００１９】
上記の構成によれば、パーソナルコンピュータなどの液晶画面を備える情報処理装置において、監視カメラによって量子の転写対象（被治療者）を表示し、その情報処理装置に、量子を転写したＳＤメモリカード（登録商標）などの記憶素子を装着すると、表示の際に記憶素子の量子のエネルギーが液晶の微粒子に共振して該液晶画面に量子エネルギーが発生し、その量子エネルギーが、量子テレポーテーション現象によって、前記液晶画面に表示された対象（被治療者）に転写すると言う本件発明者の知見に基づき、前記量子放射源として前記記憶素子を用い、転写手段として、前記監視カメラおよび情報処理装置を用いる。
【００２０】
したがって、部屋内を監視カメラで監視（撮影）するだけで、容易に、被治療者の治療を行うことができる。また、量子放射源としても、持ち運び自在の記憶素子であると、極めて容易に作成・頒布することができる。
【００２１】
さらにまた、本発明の量子治療器では、前記部屋は、老人介護施設の集会所または保育園の教室として使用されることを特徴とする。
【００２２】
上記の構成によれば、本発明の量子治療器の部屋内には、健康な人間を収容しても、その人間には害は無く、該部屋は、その人間の健康を維持するための健康部屋となる。したがって、老人介護施設の集会所や保育園の教室などとして、好適に実施することができる。
【発明の効果】
【００２３】
本発明の量子治療器は、以上のように、被治療者を収容する部屋に、その被治療者に向けて量子を放射する量子放射源を設け、該量子放射源から放射された量子は、直接に被治療者に転写されたり、一旦壁面などに付着した量子や、被治療者を透過したり被治療者で反射されたりした量子も、壁面などを介して、被治療者に再転写される。
【００２４】
それゆえ、人体の内部に到達し易く、骨なども通過すると言う特徴を有する量子を、被治療者の全身に、効率良く転写することができる。これによって、全身を活性化したり、複雑に関連する臓器の調子を整えたり、或いは全身に散らばった癌を萎縮させたりすることができる。
【図面の簡単な説明】
【００２５】
【図１】本発明の実施の一形態に係る量子治療器の全体構成を模式的に示す斜視図である。
【図２】量子放射源の一例であるＳＤメモリカード（登録商標）に量子を転写する装置の一構成例を模式的に示す電気回路図である。
【図３】本発明の実施の他の形態に係る量子治療器を模式的に示す図である。
【発明を実施するための形態】
【００２６】
（実施の形態１）
図１は、本発明の実施の一形態に係る量子治療器１の全体構成を模式的に示す斜視図である。この量子治療器１は、内部に被治療者６を収容する部屋２と、部屋２内に設置され、該部屋２内に向けて量子を放射するように加工された量子放射源である監視カメラ３および記憶素子４とを備えて構成される。
【００２７】
この量子治療器１は、後に詳述するようにして、被治療者６に量子を転写して、その治療を行うものである。図１では、転写された量子を、被治療者６を収容した部屋２を取囲む、参照符号６０のドットのイメージで示している。量子としては、光子、電子、クウォーク、ニュートリノ等が挙げられる。本件発明者の知見では、被治療者６に量子を転写することで、全身を活性化したり、複雑に関連する臓器の調子を整えたり、或いは全身に散らばった癌を萎縮させたりすることができる。特に、前記のマイクロ波や電磁波は、人体に通り難いのに対して、量子は、人体の内部に到達し易く、骨なども通過することができ、被治療者６の全身に、効率良く転写することができる。
【００２８】
第１の量子放射源である監視カメラ３は、筐体３１内に、レンズ３２およびその内方に配置される撮像素子と、前記レンズ３２の周囲を取り囲むように配置される照明光源としての複数のＬＥＤ３３と、筐体３１を壁面２１（図１の例では天井に）に取付けるブラケット３４とを備えて構成される。ＬＥＤ３３は、被治療者６の撮影用の照明光である可視光および／または赤外光を放射する。
【００２９】
後述するようにして、該監視カメラ３に、参照符号３０で示すように量子が転写されていると、量子は、参照符号３５で示すように、ＬＥＤ３３からの照明光に伝搬されて、被治療者６に転写され、或いは部屋２の壁面２１に転写される。これは、量子の伝搬が光で可能と言う本件発明者の知見に基づき、量子放射源として監視カメラ３を用い、量子の伝搬に、その撮影用の照明光を用いているためである。一旦壁面２１などに付着した量子や、被治療者６を透過したり被治療者６で反射されたりした量子も、壁面２１などを介して、被治療者６に再転写される。したがって、量子による治療を行うにあたって、部屋２内に被治療者６を収容し、監視カメラ３で監視（撮影）するだけで、全身に亘る広範な治療を効率良く行うことができる。
【００３０】
また、第２の量子放射源である記憶素子４は、ＳＤメモリカード（登録商標）などで実現される持ち運び自在の記憶素子であり、それに関連して、実際の量子の転写手段として、前記の監視カメラ３と、液晶画面５１を備え、監視カメラ３の撮像画像を表示するパーソナルコンピュータ５などの情報処理装置とが用いられる。液晶画面５１で監視画像を表示する際に、参照符号４０で示すように量子が転写された記憶素子４をパーソナルコンピュータ５に装着すると、量子のエネルギーが液晶の微粒子に共振して該液晶画面５１に、参照符号５０で示すように量子エネルギーが発生し、その量子エネルギーが、参照符号５３で示すように、量子テレポーテーション現象によって、監視カメラ３の撮像範囲の被治療者６や部屋２の壁面２１に転写される。このような量子テレポーテーション現象５３を利用した量子（５０）の転写も、本件発明者の知見に基づくものである。記憶素子としては、ＳＤメモリカード（登録商標）４に限らず、コンパクトフラッシュ（登録商標）カードや、ＵＳＢメモリなどであってもよい。
【００３１】
このように構成することで、既存の監視カメラ３のモニター用のパーソナルコンピュータ５に記憶素子４を装着するだけで、容易に、被治療者６の治療を行うことができる。また、量子放射源としても、持ち運び自在の記憶素子４であるので、極めて容易に作成・頒布することができる。
【００３２】
なお、部屋２は、既存の建物でも問題はないが、該部屋２の壁面２１の材料は、布であると量子を吸収して消滅させてしまうので、量子の吸収が少なく、一旦転写した量子を、被治療者６に再転写し易い、金属、プラスチックまたは木材であることが好ましい。金属の中でも、錫、亜鉛、ＳＵＳ３０４或いはアルミが、特に好ましい。そうすることで、量子放射源から壁面２１に一旦付着した量子が、或いは被治療者６を透過したり反射されたりした量子が、該壁面２１から被治療者６に再転写され、量子の利用効率、すなわち治療効果を高めることができる。
【００３３】
図２は、量子放射源の一例である記憶素子４に、量子を転写する装置８の一構成例を模式的に示す電気回路図である。この転写装置８は、交流電圧を発生する交流電源８１と、前記交流電圧に、外部電磁波から誘導された電圧を重畳するＬＣ並列共振回路８２と、前記重畳された電圧を整流して、負の成分を取出すダイオードなどの整流素子８３と、取出された電圧が与えられる金属板８４とを備えて構成される。
【００３４】
交流電源８１は、可変周波数で交流を発生し、その周波数範囲は、２Ｈｚ以上、２００Ｈｚ以下であり、好ましくは１００Ｈｚである。また、交流電源８１の出力電圧は、２５Ｖ以上、２５０Ｖ以下、好ましくは１００Ｖである。ＬＣ並列共振回路４２は、前記外部電磁波から共振周波数成分を抽出する。そのＬＣ値は０．０３×１０-9〜２．０×１０-9、したがって共振周波数は、３５０Ｈｚ以上、３０ｋＨｚ以下である。そして、交流電源８１の交流電圧に、外部電磁波からＬＣ並列共振回路８２に誘導された電圧が重畳された電圧を整流素子８３で整流して、負の成分を金属板８４に与えることで、該金属板８４から、前記光子、電子、クウォーク、ニュートリノ等の量子（４０）が大量に発生し、記憶素子４に転写されるようになる。なお、整流素子８３を設けずに、全波の成分を金属板８４に与えても、量子（４０）は発生するものの、本件発明者の実験結果によれば、発生量は大幅に減少してしまうので、負の成分だけを与えることが好ましい。監視カメラ３および／またはＬＥＤ３３への量子（３０，３５）の転写も、同様に、それらを金属板８４に載せて行うことができる。
【００３５】
この転写装置８は、パーソナルコンピュータなどで実現される量子エネルギーのコントロール装置によって、その発生する量子のエネルギーが制御されてもよい。金属板８４は、地面から絶縁されているが、数μＡ〜数十μＡの低周波の微弱電流が、該金属板８４から空中へ流れる。そこで、該金属板８４と地面との間に高抵抗８５を入れて、前記微弱電流、したがって記憶素子４に転写される量子エネルギーを、適切に調整することも可能である。すなわち、装置の規模などに応じて、放電量を大きくすると、使用できるエネルギーが小さくなると言う具合である。金属板８４には、前記錫、亜鉛、ＳＵＳ３０４或いはアルミが好ましい。
（実施の形態２）
図３は、本発明の実施の一形態に係る量子治療器１ａの全体構成を模式的に示す図である。量子（６０）は、健康な人間に転写されても、害となることは無く、前述のように、血行促進などの効果を得ることができる。そこで、上述の量子治療器１は、病の患者の治療を行うために、部屋２は比較的小さく、量子（６０）を集中して被治療者６に転写するようになっているが、本実施形態の量子治療器１ａでは、部屋２ａは比較的大きく形成され、たとえば老人介護施設の集会所や、保育園の教室として使用される（図３では、収容者６ａとして、遊んでいる子供を示している）。
【００３６】
このように構成することで、部屋２ａは、収容者６ａの健康を維持するための健康部屋となる。したがって、前記老人介護施設の集会所や保育園の教室などとして、好適である。
【００３７】
なお、部屋２，２ａは、一旦、量子（６０）が転写されると、所定期間、上述のような効果を持続することができるので、量子放射源である監視カメラ３やパーソナルコンピュータ５は、常時稼働させる必要はない。そのため、部屋２，２ａは、量子（６０）が転写されたパネルなどの建材が、組立てられて構成されるだけでもよい。
【符号の説明】
【００３８】
１，１ａ    量子治療器
２，２ａ    部屋
３    監視カメラ
３０，３５，４０，５０，６０    量子
３１    筐体
３２    レンズ
３３    ＬＥＤ
４    記憶素子
５    パーソナルコンピュータ
５１    液晶画面
５３    量子テレポーテーション現象
６    被治療者
６ａ    収容者
８    量子の転写装置
８１    交流電源
８２    ＬＣ並列共振回路
８３    整流素子
８４    金属板
８５    高抵抗
【図１】
2018139722.tif 000003
【図２】
2018139722.tif 000004
【図３】
2018139722.tif 000005